(57)【要約】【課題】  複数の波形情報によって光出力を調整することにより、エネルギー效率を向上させることができるディスプレイ装置及び制御方法を提供する。【解決手段】  本発明はディスプレイ装置及びその制御方法に関する。ディスプレイ装置は、複数の色の光を順次に出力する光源部と；光源部によって出力される光を選択的に投射して映像を表示する表示部と；複数の色の比を示す複数の波形情報が保存された情報保存部と；波形情報によって光源部から出力される光の強さを調整する光源駆動部と；ユーザによって複数の波形情報のうちのいずれか一つの波形情報を選択し、選択された波形情報に基づいて光の強さを調整するように光源駆動部を制御する制御部とを含む。【選択図】      図２
2007188088.tif 000002
【特許請求の範囲】
【請求項１】
ディスプレイ装置において、
複数の色の光を順次に出力する光源部と；
前記光源部によって出力される光を選択的に投射して映像を表示する表示部と；
前記複数の色の比を示す複数の波形情報が保存された情報保存部と；
前記波形情報によって前記光源部から出力される光の強さを調整する光源駆動部と；
ユーザによって前記複数の波形情報のうちのいずれか一つの波形情報を選択し、前記選択された波形情報に基づいて前記光の強さを調整するように前記光源駆動部を制御する制御部とを含むことを特徴とするディスプレイ装置。
【請求項２】
ユーザから選好色に関する情報の入力を受けるユーザ入力部をさらに含み、
前記制御部は、前記入力された選好色に関する情報に基づいて前記複数の色の比を決定し、前記複数の波形情報のうちの前記決定された色の比に対応するいずれか一つの波形情報を選択することを特徴とする請求項１に記載のディスプレイ装置。
【請求項３】
前記波形情報は、前記各色に対応する電流の大きさの情報を含むことを特徴とする請求項１に記載のディスプレイ装置。
【請求項４】
前記複数の色は、Ｒ（赤）、Ｇ（緑）及びＢ（青）を含むことを特徴とする請求項１に記載のディスプレイ装置。
【請求項５】
前記光源部は交流ランプを含むことを特徴とする請求項１に記載のディスプレイ装置。
【請求項６】
前記表示部はＤＭＤを含むことを特徴とする請求項１に記載のディスプレイ装置。
【請求項７】
複数の色の光を順次に出力する光源部と、前記光源部によって出力される光を選択的に投射して映像を表示する表示部とを具備するディスプレイ装置の制御方法において、
ユーザによって前記複数の色の比を示す波形情報のうちのいずれか一つの波形情報を選択する段階と；
前記選択された波形情報によって前記光源部から出力される光の強さを調整する段階とを含むことを特徴とするディスプレイ装置の制御方法。
【請求項８】
ユーザから選好色に関する情報の入力を受ける段階と；
前記入力された選好色に関する情報に基づいて前記複数の色の比を決定する段階とをさらに含み、
前記波形情報を選択する段階においては、前記複数の波形情報のうちの前記決定された色の比に対応するいずれか一つの波形情報を選択することを特徴とする請求項７に記載のディスプレイ装置の制御方法。
【請求項９】
前記波形情報は、前記各色に対応する電流の大きさの情報を含むことを特徴とする請求項７に記載のディスプレイ装置の制御方法。
【請求項１０】
前記複数の色は、Ｒ（赤）、Ｇ（緑）及びＢ（青）を含むことを特徴とする請求項７に記載のディスプレイ装置の制御方法。
【請求項１１】
前記光源部は交流ランプを含むことを特徴とする請求項７に記載のディスプレイ装置の制御方法。
【請求項１２】
前記表示部はＤＭＤを含むことを特徴とする請求項７に記載のディスプレイ装置の制御方法。
【発明の詳細な説明】
【技術分野】
【０００１】
本発明は、ディスプレイ装置及びその制御方法に関する。より詳しくは、波形情報によって光出力を調整することができるディスプレイ装置及びその制御方法に関する。
【背景技術】
【０００２】
ＤＬＰプロジェクションＴＶ（デジタルライトプロセッシングプロジェクションＴＶシステム）、プロジェクターのようなディスプレイ装置は、映像信号に基づいて映像を表示するＤＭＤ（デジタルマイクロミラーデバイス）などを備える表示部と、表示部に光を出力する交流ランプのような光源部と、光源部を駆動するための光源駆動部と、光源駆動部に電源を供給する電源供給部とを含む。
【０００３】
光源部は、Ｒ（赤）、Ｇ（緑）及びＢ（青）の各色の光をＤＭＤのマイクロミラー（図示せず）に順次に出力する。表示部は、ＤＭＤのマイクロミラーをオンまたはオフすることにより、入射する光を選択的にスクリーン（図示せず）に投射して映像を表示する。光源駆動部は、電源供給部から電源の供給を受け、光源部に所定の大きさの電流を供給する。ランプの光出力はランプに流入する電流の大きさに比例するので、光源駆動部は光源部に出力する電流の大きさを調整することにより、光源部によって出力される光の強さを調整する。
【０００４】
光源駆動部は、所定の波形情報に基づいて光源部に出力する電流の大きさを調整する。図１は従来の波形情報の例を示す。ディスプレイ装置は、図１に示したような一つの波形情報１を所定のメモリに保存しており、これに基づいて光源部を駆動する。
【０００５】
一方、映像の色に対するユーザの好みは多様であり得、あるユーザは特定色が強調される映像を好むことがある。この場合、従来のディスプレイ装置は、ＤＭＤのマイクロミラーを制御してユーザの好む特定色が強調されるように、ＲＧＢのうちのいずれかの色はスクリーンに投射し、他の色は投射しない。この時、スクリーンに投射されない特定色の光は、エネルギーの側面から見れば損失になる。
【０００６】
ところが、従来のディスプレイ装置のように、一つの波形情報によって一律的に光を出力する場合に、特定色における光の損失が必ず伴われるので、エネルギー效率が低いという問題点があった。
【発明の開示】
【発明が解決しようとする課題】
【０００７】
そこで、本発明は前記問題点を解決するためのものであって、複数の波形情報によって光出力を調整することにより、エネルギー效率を向上させることができるディスプレイ装置及び制御方法を提供することを目的とする。
【０００８】
また、本発明は、システムの特徴、目的、仕様などに応じて異なる駆動波形を選択して光を出力することにより、個別システム別に最適化されたディスプレイ装置及び制御方法を提供することを目的とする。
【課題を解決するための手段】
【０００９】
上記目的を達成するために、本発明は、ディスプレイ装置において、複数の色の光を順次に出力する光源部と；前記光源部によって出力される光を選択的に投射して映像を表示する表示部と；前記複数の色の比を示す複数の波形情報が保存された情報保存部と；前記波形情報によって前記光源部から出力される光の強さを調整する光源駆動部と；ユーザによって前記複数の波形情報のうちのいずれか一つの波形情報を選択し、前記選択された波形情報に基づいて前記光の強さを調整するように前記光源駆動部を制御する制御部とを含むことを特徴とするディスプレイ装置を提供する。
【００１０】
前記ディスプレイ装置は、ユーザから選好色に関する情報の入力を受けるユーザ入力部をさらに含み、前記制御部は、前記入力された選好色に関する情報に基づいて前記複数の色の比を決定し、前記複数の波形情報のうちの前記決定された色の比に対応するいずれか一つの波形情報を選択することができる。
【００１１】
前記波形情報は、前記各色に対応する電流の大きさの情報を含むことができる。前記複数の色は、Ｒ、Ｇ及びＢを含むことができる。前記光源部は交流ランプを含むことができる。前記表示部はＤＭＤを含むことができる。
【００１２】
本発明の上記目的は、複数の色の光を順次に出力する光源部と、前記光源部によって出力される光を選択的に投射して映像を表示する表示部とを備えるディスプレイ装置の制御方法において、ユーザによって、前記複数の色の比を示す複数の波形情報のうちのいずれか一つの波形情報を選択する段階と；前記選択された波形情報によって前記光源部から出力される光の強さを調整する段階とを含むことを特徴とするディスプレイ装置の制御方法によっても達成することができる。前記制御方法は、ユーザから選好色に関する情報の入力を受ける段階と；前記入力された選好色に関する情報に基づいて前記複数の色の比を決定する段階とをさらに含み、前記波形情報を選択する段階においては、前記複数の波形情報のうちの前記決定された色の比に対応するいずれか一つの波形情報を選択することができる。
【００１３】
前記波形情報は、前記各色に対応する電流の大きさの情報を含むことができる。前記複数の色は、Ｒ、Ｇ及びＢを含むことができる。前記光源部は交流ランプを含むことができる。前記表示部はＤＭＤを含むことができる。
【発明の効果】
【００１４】
本発明によれば、複数の波形情報によって光出力を調整することにより、エネルギー效率を向上させるディスプレイ装置及び制御方法を提供することができる。
【００１５】
また、本発明によれば、システムの特徴、目的、仕様などに応じて異なる駆動波形を選択して光を出力することにより、個別システム別に最適化されたディスプレイ装置及び制御方法を提供することができる。
【発明を実施するための最良の形態】
【００１６】
以下、添付された図面を参照しながら、本発明の好ましい実施形態について詳細に説明する。図２は本発明の一実施形態によるディスプレイ装置１０の構成を示したブロック図である。ディスプレイ装置１０は、ＤＬＰプロジェクションＴＶ、及びプロジェクターなどであり得る。ディスプレイ装置１０は、図２に示したように、信号入力部１１、信号処理部１２、表示部１３、光源部１４、光源駆動部１５、電源供給部１６、情報保存部１７、及び制御部１８を含む。
【００１７】
信号入力部１１は、映像情報が含まれた映像信号の入力を外部から受ける。信号入力部１１は、放送信号を受信するチューナ、またはＤＶＤ、ＶＣＲなどの映像機器から映像信号の入力を受ける入力端子によって具現されることができる。
【００１８】
信号処理部１２は、信号入力部１１によって入力された映像信号に信号処理を行って、表示部１３が映像を表示できる形態に映像信号を変換する。信号処理部１２は、映像信号のフォーマットに対応する映像処理を行い、例えば、映像情報を抽出するデコーディング、映像の解像度を調整するスケーリング、及び映像の品質を改善する処理（ピクチャエンハンシング）などを含む映像処理を遂行する。
【００１９】
表示部１３は、信号処理部１２によって処理された映像信号に基づいて映像を表示する。光源部１４は表示部１３に光を出力する。光源部１４は、光を出力する交流ランプ（図示せず）と、交流ランプに出力された光をフィルタリングして所定の色を有する光に変換するカラーホイール（図３の３１参照）とを含む。光源部１４は、カラーホイール３１を通じて赤（Ｒ）、緑（Ｇ）及び青（Ｂ）（以下、“ＲＧＢ”とも言う）の各色の光を順次に出力する。カラーホイール３１における各色に対応する角度は、光が出力される時間を考慮して決定することができる。
【００２０】
表示部１３は、ＤＭＤ（図示せず）、及びスクリーン（図示せず）を含む。光源部１４はレンズ（図示せず）をさらに含み、交流ランプから出力された光はレンズを通じてＤＭＤに投射される。表示部１３は、ＤＭＤに集積されている数十あるいは数百万個のミラー（図示せず）を、映像信号に含まれたデジタル画素情報に基づいて独立的にオンまたはオフさせる。ＤＭＤのミラーに投射された光によってスクリーンに映像が形成される。
【００２１】
光源駆動部１５は光源部１４によって出力される光の強さを調整する。光源駆動部１５は、電源供給部１６から電源の供給を受け、所定の大きさの電流を光源部１４に供給する。光源駆動部１５は、波形情報に基づいて出力する電流の大きさを調整する。本実施形態の波形情報はＲＧＢ各色の比を示す。波形情報は情報保存部１７に保存される。情報保存部１７には複数の波形情報が保存される。光源駆動部１５は、制御部１８から伝達される選択信号に対応する波形情報を読出し、これに基づいて出力する電流の大きさを調整する。
【００２２】
図３は本実施形態の情報保存部１７に保存された第１波形情報２１乃至第３波形情報２３を示した図面である。図示したように、各波形情報２１、２２、２３は、ＲＧＢ各色に対応する電流の大きさを示す。第１波形情報２１の場合、ＲＧＢ各セグメントによる電流の大きさが一定であるので、常に一定のランプの光出力が維持される。これに対し、第２波形情報２２の場合は、Ｒ＞Ｂ＞Ｇの順に電流の大きさが変わるので、ランプの光出力がＲ＞Ｂ＞Ｇに維持される。一方、第３波形情報２３の場合は、Ｒ＞Ｂ＝Ｇの順に電流の大きさが変わるので、ランプの光出力がＲ＞Ｂ＝Ｇに維持される。
【００２３】
制御部１８は、情報保存部１７に保存された複数の波形情報のうちのいずれか一つの波形情報を選択し、これを示す選択信号を光源駆動部１５に伝達する。制御部１８は、ユーザの指示によって複数の波形情報のうちのいずれか一つの波形情報を選択する。この場合、ディスプレイ装置１０はユーザの指示の入力を受けるユーザ入力部１９をさらに含む。
【００２４】
制御部１８は、ユーザ入力部１９を通じ、ユーザから、複数の波形情報のうちのいずれか一つを選択する情報の入力を直接に受けることができる。他の実施形態として、制御部１８は、ユーザ入力部１９を通じ、ユーザから、選好色に関する情報の入力を受けることができる。本実施形態の選好色に関する情報は、ユーザの好みによって特定色が強調される映像を表示する場合に、強調される色を示す情報である。この場合、制御部１８は、入力された選好色に関する情報に基づいてＲＧＢ色の比を決定し、複数の波形情報のうちの決定された色の比に対応する波形情報を選択することができる。
【００２５】
図４は本実施形態のディスプレイ装置１０の動作を示したフローチャートである。制御部１８は、ユーザの指示によって複数の波形情報２１〜２３のうちのいずれか一つの波形情報を選択し、これを示す選択信号を光源駆動部１５に伝達する（Ｓ１１）。次に、光源駆動部１５は、保存されている複数の波形情報２１〜２３のうちの伝達された選択信号に対応する波形情報２１、２２、２３を読出し、これに基づいて光源部１４に所定の大きさの電流を供給する（Ｓ１２）。表示部１３は、光源部１４によって出力される光を、入力される映像信号に基づいて選択的にスクリーンに投射することで映像を表示する（Ｓ１３）。
【００２６】
以上、好ましい実施形態を通じて本発明について詳細に説明したが、本発明はこれに限定されるわけではなく、特許請求の範囲内で多様に実施できる。
【図面の簡単な説明】
【００２７】
【図１】従来のディスプレイ装置における波形情報を示した図である。
【図２】本発明の一実施形態によるディスプレイ装置の構成を示したブロック図である。
【図３】本発明の一実施形態による第１波形情報乃至第３波形情報を示した図である。
【図４】本発明の一実施形態によるディスプレイ装置の動作を示したフローチャートである。
【符号の説明】
【００２８】
１０  ディスプレイ装置
１１  信号入力部
１２  信号処理部
１３  表示部
１４  光源部
１５  光源駆動部
１６  電源供給部
１７  情報保存部
１８  制御部
１９  ユーザ入力部
【図１】
2007188088.tif 000003
【図２】
2007188088.tif 000004
【図３】
2007188088.tif 000005
【図４】
2007188088.tif 000006